(57)【特許請求の範囲】
【請求項１】
テンプル部と、
前記テンプル部の前端部に連結されるヨロイ部と、
前記テンプル部に設けられ、前記テンプル部の長手方向に沿って延びており、前記長手方向の両端部としての開放端部と閉塞端部を有しており、前記開放端部が、前記テンプル部の前記前端部において前記ヨロイ部における外側面に向かって開口しており、前記長手方向に沿った移動を許容して物品取付具と嵌合する溝状の開口部と、
前記開口部において前記物品取付具と係合し、前記物品取付具が、前記閉塞端部から前記開放端部に向かって移動し前記テンプル部から脱落することを規制する突起状の規制部と、
回転軸と交差する交差面に前記規制部が突設されており、前記規制部が前記物品取付具と係合可能となる係合位置と、前記規制部が前記物品取付具と係合不可能となる非係合位置との間で前記テンプル部の長手方向に回動可能に設けられている回動部を備え、
前記物品取付具には、前記長手方向に交差して延びるように溝部が設けられており、
前記溝部は、一端が開放され、前記規制部と係合可能であり、
前記回動部は、円板形状を有し、中心部が前記テンプル部に軸止され、前記交差面である一方の面から前記規制部が突設されており、
前記規制部は、前記回動部が前記非係合位置から前記係合位置に回動されるとき、前記溝部の外部から、前記溝部における開放された前記一端を介して前記溝部の内部に移動可能であることを特徴とする眼鏡フレーム。
【請求項２】
前記開口部における底面は、前記ヨロイ部における前記外側面と面一に形成されていることを特徴とする請求項１記載の眼鏡フレーム。
【請求項３】
テンプル部と、
前記テンプル部の前端部に連結されるヨロイ部と、
前記テンプル部に設けられ、前記テンプル部の長手方向に沿って延びており、前記長手方向の両端部としての開放端部と閉塞端部を有しており、前記開放端部が、前記テンプル部の前記前端部において前記ヨロイ部における外側面に向かって開口しており、前記長手方向に沿った移動を許容して物品取付具と嵌合する溝状の開口部と、
前記開口部において前記物品取付具と係合し、前記物品取付具が、前記閉塞端部から前記開放端部に向かって移動し前記テンプル部から脱落することを規制する突起状の規制部と、
回転軸と交差する交差面に前記規制部が突設されており、前記規制部が前記物品取付具と係合可能となる係合位置と、前記規制部が前記物品取付具と係合不可能となる非係合位置との間で前記テンプル部の長手方向に回動可能に設けられている回動部を備え、
前記物品取付具には、前記長手方向に交差して延びるように溝部が設けられており、
前記溝部は、一端が開放され、前記規制部と係合可能であり、
前記回動部は、円板形状を有し、中心部が前記テンプル部に軸止され、前記交差面である一方の面から前記規制部が突設されており、
前記規制部は、前記回動部が前記非係合位置から前記係合位置に回動されるとき、前記溝部の外部から、前記溝部における開放された前記一端を介して前記溝部の内部に移動可能であることを特徴とするアタッチメント。
【請求項４】
前記開口部における底面は、前記ヨロイ部における前記外側面と面一に形成されていることを特徴とする請求項３記載のアタッチメント。
【発明の詳細な説明】
【技術分野】
【０００１】
この発明は、電子デバイス、拡大鏡、保護シールドなどの種々の物品を簡易かつ確実に取り付けることができる眼鏡フレーム及びアタッチメントに関するものである。
【背景技術】
【０００２】
従来、電子デバイス等の種々の物品を取り付けて使用する眼鏡フレームやアタッチメントにとしては、種々のものが存在する（特許文献１〜３）。
【０００３】
特許文献１において、ディスプレイ１４を備える視覚手段１４を眼鏡のサイドフレーム７にクリップ１８にて固定する態様を開示されている。
【０００４】
そして、特許文献２において、ディスプレイ光学インターフェイス装置１３０を、ディスプレイアーム１５０を介してサイドフレームである右操作部１２０に可動クリップ１６０にて固定する態様を開示されている。
【０００５】
そして、特許文献３において、テンプル部１５又はヨロイ部１３に設けられた装着部１７にウェアラブル機器２１を装着する眼鏡フレーム及びアタッチメントが開示されている。
【先行技術文献】
【特許文献】
【０００６】
【特許文献１】米国特許第４７５３５１４号公報
【特許文献２】米国特許第６０３４６５３号公報
【特許文献３】特開２０１１−６５０９４号公報
【発明の概要】
【発明が解決しようとする課題】
【０００７】
しかしながら、特許文献１では、ディスプレイ１４を他の物品に取り換えることはできるが、クリップ１８でサイドフレーム７と固定されているために、激しい動きなどによってサイドフレーム７に固定した物品がクリップ１８から脱落するという課題があった。
【０００８】
また、特許文献２では、クリップ１６０が、ディスプレイアーム１５０を介してディスプレイ光学インターフェイス装置１３０を固定しているが、ディスプレイ光学インターフェイス装置１３０を他の物品に取り換えようとするとクリップ１６０を分解するなどの必要があり、簡単に他の物品に取り換えることが困難であった。
【０００９】
また、特許文献３では、ヨロイ部１３に対してテンプル部１５を折り畳んだ第１の状態において、テンプル部１５又はヨロイ部１３に設けられた装着部１７にウェアラブル機器２１を取り外し可能性となっており、第１の状態から、ヨロイ部１３に対してテンプル部１５を起こして使用者の耳に掛けられるように開いた第２の状態において、ウェアラブル機器２１が取り外しできない状態となっているが、ウェアラブル機器２１を着脱するためには眼鏡フレーム又はアタッチメントを必ず使用者の身体から取り外した状態としなければならず、眼鏡フレーム又はアタッチメントを使用者が着用した状態ではウェアラブル機器２１を着脱することができず不便であるという課題があった。
【００１０】
そこで、本発明は、電子デバイス、拡大鏡、保護シールドなどの種々の物品を着脱することができ、使用者の動きによってそれら物品が脱落することがなく、取り付けている物品を簡便に他の物品と取り換えることができ、そして、使用者がそれら物品を取り換えるときにおいて使用者が着用している状態でも取り換えることが可能である眼鏡フレーム及びアタッチメントを提供することを目的としてなされたものである。
【課題を解決するための手段】
【００１１】
〔１〕すなわち、本発明は、テンプル部と、前記テンプル部の前端部に連結されるヨロイ部と、前記テンプル部に設けられ、前記テンプル部の長手方向に沿って延びており、前記長手方向の両端部としての開放端部と閉塞端部を有しており、前記開放端部が、前記テンプル部の前記前端部において前記ヨロイ部における外側面に向かって開口しており、前記長手方向に沿った移動を許容して物品取付具と嵌合する溝状の開口部と、前記開口部において前記物品取付具と係合し、前記物品取付具が、前記閉塞端部から前記開放端部に向かって移動し前記テンプル部から脱落することを規制する突起状の規制部と、回転軸と交差する交差面に前記規制部が突設されており、前記規制部が前記物品取付具と係合可能となる係合位置と、前記規制部が前記物品取付具と係合不可能となる非係合位置との間で前記テンプル部の長手方向に回動可能に設けられている回動部を備えることを特徴とする眼鏡フレームである。
【００１２】
〔２〕そして、前記開口部における底面は、前記ヨロイ部における前記外側面と面一に形成されていることを特徴とする前記〔１〕に記載の眼鏡フレーム。
【００１３】
〔３〕そして、前記物品取付具には、前記長手方向に交差して延びるように溝部が設けられており、前記溝部は、一端が開放され、前記規制部と係合可能であり、前記回動部は、円板形状を有し、中心部が前記テンプル部に軸止され、前記交差面である一方の面から前記規制部が突設されており、前記規制部は、前記回動部が前記非係合位置から前記係合位置に回動されるとき、前記溝部の外部から、前記溝部における開放された前記一端を介して前記溝部の内部に移動可能であることを特徴とする前記〔１〕又は前記〔２〕に記載の眼鏡フレームである。
【００１４】
〔４〕そして、テンプル部と、前記テンプル部の前端部に連結されるヨロイ部と、前記テンプル部に設けられ、前記テンプル部の長手方向に沿って延びており、前記長手方向の両端部としての開放端部と閉塞端部を有しており、前記開放端部が、前記テンプル部の前記前端部において前記ヨロイ部における外側面に向かって開口しており、前記長手方向に沿った移動を許容して物品取付具と嵌合する溝状の開口部と、前記開口部において前記物品取付具と係合し、前記物品取付具が、前記閉塞端部から前記開放端部に向かって移動し前記テンプル部から脱落することを規制する突起状の規制部と、回転軸と交差する交差面に前記規制部が突設されており、前記規制部が前記物品取付具と係合可能となる係合位置と、前記規制部が前記物品取付具と係合不可能となる非係合位置との間で前記テンプル部の長手方向に回動可能に設けられている回動部を備えることを特徴とするアタッチメントである。
【００１５】
〔５〕そして、前記開口部における底面は、前記ヨロイ部における前記外側面と面一に形成されていることを特徴とする前記〔４〕に記載のアタッチメントである。
【００１６】
〔６〕そして、前記物品取付具には、前記長手方向に交差して延びるように溝部が設けられており、前記溝部は、一端が開放され、前記規制部と係合可能であり、前記回動部は、円板形状を有し、中心部が前記テンプル部に軸止され、前記交差面である一方の面から前記規制部が突設されており、前記規制部は、前記回動部が前記非係合位置から前記係合位置に回動されるとき、前記溝部の外部から、前記溝部における開放された前記一端を介して前記溝部の内部に移動可能であることを特徴とする前記〔４〕又は前記〔５〕に記載のアタッチメントである。
【発明の効果】
【００１７】
本発明によれば、電子デバイス、拡大鏡、保護シールドなどの種々の物品を着脱することができ、使用者の動きによってそれら物品が脱落することがなく、取り付けている物品を簡便に他の物品と取り換えることができ、そして、使用者がそれら物品を取り換えるときにおいて使用者が着用している状態でも取り換えることができる。
【図面の簡単な説明】
【００１８】
【図１】本発明の眼鏡フレームの第一実施形態を示す斜視図である。
【図２】本発明の眼鏡フレームの第一実施形態におけるＡ−Ａ線断面図である。
【図３】本発明の眼鏡フレームの第一実施形態の右側面図である。
【図４】本発明の眼鏡フレームの第一実施形態におけるＢ−Ｂ線断面図である。
【図５】本発明の眼鏡フレームの第一実施形態におけるＢ−Ｂ線断面図の部分拡大図である。
【図６】（ａ）（ｂ）本発明の眼鏡フレームの第一実施形態に規制部３及び回動部４をあらわす斜視図である。
【図７】（ａ）（ｂ）本発明の眼鏡フレームの第一実施形態において、開口部１１と物品２との嵌合状態及び解除状態をあらわす斜視図である。
【図８】（ａ）（ｂ）（ｃ）本発明の眼鏡フレームの第一実施形態において、物品２と、物品２及び規制部３との係合状態、解除状態をあらわす側面図。
【図９】本発明の眼鏡フレームの第二実施形態を示す斜視図である。
【図１０】本発明の眼鏡フレームの第二実施形態におけるＣ−Ｃ線断面図である。
【図１１】本発明の眼鏡フレームの第二実施形態の右側面図である。
【図１２】本発明の眼鏡フレームの第二実施形態におけるＤ−Ｄ線断面図である。
【図１３】（ａ）（ｂ）本発明の眼鏡フレームの第二実施形態のＥ−Ｅ部分拡大図において、開口部１１、規制部３と物品２との係合状態及び解除状態をあらわす斜視図である。
【図１４】本発明の眼鏡フレームの第二実施形態において、物品２が取り付けられた状態をあらわす斜視図である。
【発明を実施するための形態】
【００１９】
以下、本発明の眼鏡フレーム及びアタッチメントに関する実施形態を、図面に基づいて詳細に説明する。本発明の第一実施形態については図１から図８にあらわしており、第二実施形態については図９から図１４にあわらしている。
【００２０】
〔第一実施形態〕
図１〜５に示すように、本実施形態の眼鏡フレームＦは、テンプル部１と、テンプル部１の一端側に取り付けられたヨロイ部５を備えている。そして、ヨロイ部５には、レンズ部Ｌが固定されており、眼鏡フレームＦとレンズ部Ｌとで眼鏡を形成している。なお、本実施形態においては眼鏡フレームＦとレンズ部Ｌからなる眼鏡が記載されているが、他の実施形態において、レンズ部Ｌを有さず、使用者の耳に掛けたり、使用者の頭部に密着させたりするテンプル部と、使用者の額、後頭部等近傍を亘り左右のテンプル部に接続され棒状などの形状を有するフロント部などからなるアタッチメントとすることもできる。
【００２１】
テンプル部１は、使用者の耳に掛けたり、使用者の頭部に密着させたりする棒状の部材であり、本実施形態において使用者の頭部に沿うよう湾曲した棒状の形状を有している。ヨロイ部５に取り付けられるテンプル部１の一端において、前方、すなわち、使用者が着用したときの視線の方向に向かって開口部１１が設けられている。この開口部１１に、電子デバイス、拡大鏡、保護シールドなどの種々の物品２に設けられた物品取付部２１を嵌合させる。また、テンプル部１とヨロイ部５とはヒンジにより取り付けられているために、テンプル部１はヨロイ部５に対して折り曲げたり開いたりすることができる。
【００２２】
物品２は、ディスプレイ、ＬＥＤライト、ビデオカメラ、バッテリーなどの電子デバイス、そして、拡大鏡、使用者の顔面や頭部等を覆い保護する保護シールド、さらには、香料や虫よけ剤などの揮発成分を含有する芳香材や害虫忌避材、超音波により蚊などの害虫が使用者に近づくことを防止する虫よけ器具などの種々の機能性を有する有体物である。物品２には、物品２とは分離可能に又は一体的に形成されている物品取付具２１が設けられている。この物品取付具２１がテンプル部１に設けられた開口部１１に嵌合して、物品２がテンプル部１に対して固定されることとなる。
【００２３】
また、物品取付具２１には、溝部２１１が設けられている。この溝部２１１が、規制部３と係合して物品取付具２１、ひいては物品２がテンプル部１から脱落することを規制している。一方、規制部３が操作されると、規制部３と物品取付具２１の溝部２１１との係合が解除され、物品取付具２１、ひいては物品２をテンプル部１から取り外すことができるようになる。
【００２４】
図５、図６（ａ）、図６（ｂ）、図８（ｂ）、図８（ｃ）に示すように、規制部３は、物品取付具２１と係合し得る部材であり、開口部１１に設けられた部材である。本実施形態において、規制部３は、回動部４の一側面から突出して設けられており、その一部がテンプル部１に穿設されたテンプル孔１２を介して開口部１１に露出することにより、物品取付具２１の溝部２１１と係合することができる。
【００２５】
図５などに示すように、回動部４は、規制部３を有し、テンプル部１の長手方向に回動可能な部材である。本実施形態では、回動部４は、円板状の形状を有しており、その中心部をテンプル部１に対して軸止されており、回動可能となっている。回動部４を回動することにより、規制部３が動くため、規制部３と物品取付具２１の溝部２１１が係合していない状態と係合している状態を調節することできる。
【００２６】
そして、回動部４の外周部には、凹凸が交互に並んでギザギザした刻み目４１が設けられており、使用者が回動部４を回動させるときに滑り止めとなりスムーズに回動させやすくなる。
【００２７】
さらに、図６（ａ）、図６（ｂ）などに示すように、回動部４において、テンプル部１と対向する面とは反対側の面、すなわち、使用者に対向する面には、規制部３と物品取付具２１の溝部２１１が係合していない状態か係合している状態かを示す識別標識４２が示されている。識別標識４２が設けられていることにより、物品取付具２１を開口部１１に嵌合させている状態において、物品取付具２１の溝部２１１と規制部３とが係合している状態か係合が解錠されている状態が一目で判別できるために、使用者らが不用意に眼鏡フレームＦを傾けてしまい開口部１１から物品２が脱落してしまい物品２が破損することを未然に防ぐことができる。本実施形態において、識別標識４２として、錠の開閉を表す図が示されているが、他の実施形態において他の開閉を表す図、「開」、「閉」、ｏｐｅｎ、ｓｈｕｔなどの文字、記号など物品取付具２１の溝部２１１と規制部３とが係合している状態か係合が解錠されている状態が判別することができる標識を表すことができる。そして、テンプル部１又はヨロ部５には、識別標識４２で示される状態がどちらであるかを指し示す図形、記号などの標識があらわされていることが好ましい。また、識別標識４２を見やすくするために、テンプル部１とは異なる色彩で着色されていることが好ましい。
【００２８】
ヨロイ部５は、テンプル部１の一端に取り付けられている部材であり、本実施形態において、ヨロイ部５は、テンプル部１が取り付けられている一端部とは反対側の他端部が、レンズ部Ｌに軸止されている。このため、使用者は、着用時においてレンズ部Ｌを上下に角度調節を行うことができる。また、レンズ部Ｌの両端部には、ヨロイ部５の一端部側に設けられた突設部５１と噛合するでこぼこした凹凸部Ｌ１を有しており、レンズＬをヨロイ部５に対して上下角度調節を行ったときに特定の角度に保持することができるようになっている。
【００２９】
以上のような構成を備えることにより、テンプル部１に外部オプションとして、様々な物品２を簡易かつ確実に取り付けることが可能であり、脱着も特別な道具を必要とせず簡易に行える。そして、テンプル部１に物品２を取り付けることにより、使用者の頭部の動きと連動するため、快適なハンズフリー作業を行うことができる。また、テンプル部１に物品を取り付けることにより、眼鏡フレームやアタッチメントを装着したときの重心バランスが崩れず、安定した装着が可能となる。さらに、テンプル部１の一端側に開口部１１が設けられると、テンプル部１のしなりを妨げることがなく使用者にとってフィット感に優れた装着感を保つことが可能である。
【００３０】
そして、開口部１１と物品取付具２１を嵌合した後に、物品取付具２１に設けられた溝部２１１と規制部３を係合させることにより、テンプル部１から物品２が脱落することがない。このため、図７（ａ）、図７（ｂ）に示すように、ヨロイ部５に対してテンプル部１を開いている状態、すなわち、使用者が着用している状態において、ヨロイ部５が開口部１１を覆っていない状況であっても、確実にテンプル部１に物品２を着脱することができる。
【００３１】
〔第二実施形態〕
図９〜１４に示すように、本実施形態の眼鏡フレームＦは、テンプル部１と、テンプル部１の一端側に取り付けられたリム部Ｒを備えている。そして、リム部Ｒには、レンズ部Ｌが固定されており、眼鏡フレームＦとレンズ部Ｌとで眼鏡を形成している。なお、本実施形態においては眼鏡フレームＦとレンズ部Ｌからなる眼鏡が記載されているが、他の実施形態において、レンズ部Ｌを有さず、使用者の耳に掛けたり、使用者の頭部に密着させたりするテンプル部と、使用者の額、後頭部等近傍を亘り左右のテンプル部に接続され棒状などの形状を有するフロント部などからなるアタッチメントとすることもできる。
【００３２】
テンプル部１は、使用者の耳に掛けたり、使用者の頭部に密着させたりする棒状の部材であり、本実施形態において使用者の頭部に沿うよう湾曲した棒状の形状を有している。リム部Ｒに取り付けられるテンプル部１の一端側において、テンプル部１の短手方向、すなわち、使用者と対向する面からその反対側の面への方向に向かって穿設された開口部１１が設けられている。この開口部１１に、電子デバイス、拡大鏡、保護シールドなどの種々の物品２に設けられた物品取付部２１を嵌合させる。また、テンプル部１とリム部Ｒとはヒンジにより取り付けられているために、テンプル部１はリム部Ｒに対して折り曲げたり開いたりすることができる。
【００３３】
そして、図９などに示すように、テンプル部１の開口部１１には、外側前方（使用者と対向する面とは反対側の面側であって、リム部Ｒが設けられる一端側）と内側後方（使用者と対向する面側であって、リム部Ｒが設けられる一端側とは反対側の他端側）を結ぶ方向に傾斜している複数の傾斜突部１３と、その傾斜突部１３に挟まれて形成される案内溝１４が上下に設けられている。この案内溝１４を設けることにより、物品取付具２１に設けられた突設部２１２が案内溝１４に案内されて、物品２を外側前方から内側後方に向かって嵌挿することができるので、物品２をレンズＬなどに干渉させることなくテンプル部１に取り付けることができる。
【００３４】
物品２は、第一実施形態と同様に、ディスプレイ、ＬＥＤライト、ビデオカメラ、バッテリーなどの電子デバイス、そして、拡大鏡、使用者の顔面や頭部等を覆い保護する保護シールドなどの種々の機能性を有する有体物である。物品２には、物品２とは分離可能に又は一体的に形成されている物品取付具２１が設けられている。この物品取付具２１がテンプル部１に設けられた開口部１１に嵌合して、物品２がテンプル部１に対して固定されることとなる。
【００３５】
また、物品取付具２１には、突設部２１２が設けられている。この突設部２１２は案内溝１４と嵌挿し、そして、物品取付具２１が規制部３と係合することにより、物品２がテンプル部１から脱落することを規制している。一方、規制部３が操作されると、規制部３と物品取付具２１との係合が解除され、物品取付具２１、ひいては物品２をテンプル部１から取り外すことができるようになる。
【００３６】
図１３などに示すように、規制部３は、物品取付具２１と係合し得る部材であり、開口部１１の一部を塞ぎうるようテンプル部１１の短手方向、すなわち、使用者と対向する面からその反対側の面への方向に回動可能である部材である。本実施形態において、規制部３は、略板状でテンプル部１とヒンジにより固定されておりテンプル部１の短手方向に回動することができる。また、規制部３の大きさが開口部１１よりも小さいために、規制部３が開口部１１の全部を塞がずに、開口部１１の一部を塞ぐ。規制部３を閉じたときに、塞ぎきれない開口部１１に物品取付具２１が嵌挿される。このため、規制部３が開いている状態において、まず、開口部１１に物品取付具２１を嵌挿して、そして開口部１１の一部を塞ぐように規制部３を閉じたときに、規制部３の縁部が物品取付部２１と係合することができる。こうして、規制部３の縁部が物品取付部２１と係合することにより、図１４に示すように、テンプル部１に物品２が取付られた状態において、物品２がテンプル部１から外れることがない。
【００３７】
リム部Ｒは、テンプル部１の一端に取り付けられている部材であり、本実施形態において、リム部Ｒは、テンプル部１に直接が取り付けられているが、他の実施形態においてテンプル部１とリム部Ｒとの間にヨロイを設けることができる。また、リム部Ｒにはレンズ部Ｌが取り付けられており、眼鏡として使用することができる。
【００３８】
以上のような構成を備えることにより、テンプル部１に外部オプションとして、様々な物品２を簡易かつ確実に取り付けることが可能であり、脱着も特別な道具を必要とせず簡易に行える。そして、テンプル部１に物品２を取り付けることにより、使用者の頭部の動きと連動するため、快適なハンズフリー作業を行うことができる。また、テンプル部１に物品を取り付けることにより、眼鏡フレームやアタッチメントを装着したときの重心バランスが崩れず、安定した装着が可能となる。さらに、テンプル部１の一端側に開口部１１が設けられると、テンプル部１のしなりを妨げることがなく使用者にとってフィット感に優れた装着感を保つことが可能である。
【００３９】
そして、規制部３をテンプル部１の開口部１１から開いている状態において、まず、物品取付具２１に設けられた突設部２１２を開口部１１に設けられた案内溝１４に嵌挿させて物品取付具２１を開口部１１に嵌合した後に、規制部３を回動させて開口部１１の一部を塞ぐように閉じて、規制部３と物品取付具２１を係合させることにより、テンプル部１から物品２が脱落することがない。このため、図１３（ａ）、図１３（ｂ）に示すように、リム部Ｒに対してテンプル部１を開いている状態、すなわち、使用者が着用している状態においても、確実にテンプル部１に物品２を着脱することができる。
【符号の説明】
【００４０】
１・・・テンプル部
１１・・・開口部
１２・・・テンプル孔
１３・・・傾斜突部
１４・・・案内溝
２・・・物品
２１・・・物品取付具
２１１・・・溝部
２１２・・・突設部
３・・・規制部
４・・・回動部
４１・・・刻み目
４２・・・識別標識
５・・・ヨロイ部
５１・・・突設部
Ｆ・・・眼鏡フレーム
Ｌ・・・レンズ部
Ｌ１・・・凹凸部
Ｒ・・・リム部
【図１】
0006609118.tif 000002
【図２】
0006609118.tif 000003
【図３】
0006609118.tif 000004
【図４】
0006609118.tif 000005
【図５】
0006609118.tif 000006
【図６】
0006609118.tif 000007
【図７】
0006609118.tif 000008
【図８】
0006609118.tif 000009
【図９】
0006609118.tif 000010
【図１０】
0006609118.tif 000011
【図１１】
0006609118.tif 000012
【図１２】
0006609118.tif 000013
【図１３】
0006609118.tif 000014
【図１４】
0006609118.tif 000015